(57)【要約】【課題】  建物内の間接照明のための構造体を、不燃紙を張設された石膏ボードを利用して簡便に構成することを課題とする。【解決手段】  建物内の壁材１に装着される不燃紙張設型の背板部材３の下縁に、照明器具２を載置するための第１底板部材４が水平に連接されて、その前縁に起立した内側アゴ板５が設けられるとともに、同内側アゴ板５の上縁に水平連結部材６を介し連結される垂下した外側アゴ板７との間には、金属性の補強材８が設けられる。補強材８の下縁に接続された水平な金属製の水平補強板９は、壁材１と背板３との間に挟持される鉛直補強板１０に接続される。【選択図】図１
0003177378.tif 000002
【実用新案登録請求の範囲】
【請求項１】
建物内の壁材に装着されて間接照明用の照明器具を内蔵すべく、上記壁材の表面に張設されるための不燃紙張設型石膏ボード製の背板部材を具えるとともに、同背板部材の下縁に水平に連結されて上面に上記照明器具を支持するための不燃紙張設型石膏ボード製の第１底板部材と、同第１底板部材の前縁に下縁を連結されて起立した不燃紙張設型石膏ボード製の内側アゴ板と、同内側アゴ板の上縁に不燃紙張設型石膏ボード製の水平連結部材を介し上縁を連結されて垂下した不燃紙張設型石膏ボード製の外側アゴ板と、同外側アゴ板と上記内側アゴ板との間に介在する金属製アゴ板補強材と、同金属製アゴ板補強材に接続されて上記第１底板部材の下面に沿い延在し上記壁材に至る金属製水平補強板と、同金属製水平補強板の後縁に一体に接続されて上記背板部材の背面に沿い起立し同背板部材と上記壁材との間に挟持される金属製鉛直補強板と、上記金属製水平補強板の下面を覆うようにして上記外側アゴ板の下縁から水平に延在し上記壁材に至る不燃紙張設型石膏ボード製の第２底板部材とを具えて構成されたことを特徴とする、建物内の間接照明用構造体。
【考案の詳細な説明】
【技術分野】
【０００１】  本考案は、建物における室内や廊下などの天井に設けられるようにした間接照明用構造体に関する。
【背景技術】
【０００２】    一般に、室内の間接照明構造では、実用新案公開平６−７１６４０号公報や登録実用新案第３１５２９５３号公報に示されるように、石膏ボードと金属板とを組み合わせて内部に照明器具を設ける構造が採用されているが、いずれも構造が複雑で、現場での取り付け工事も複雑になるという不具合がある。
【考案の開示】
【考案が解決しようとする課題】
【０００３】  本考案は、両面に不燃紙を張設された一連の石膏ボードと補強用の金属板とを組み合わせて照明器具を内包できるようにする簡素な構造で、工事現場での作業の簡易化も図れるようにした、建物内の間接照明用構造体を提供することを課題とする。
【課題を解決するための手段】
【０００４】  前述の課題を解決するため、本考案の建物内の間接照明用構造体は、建物内の壁材に装着されて間接照明用の照明器具を内蔵すべく、上記壁材の表面に張設されるための不燃紙張設型石膏ボード製の背板部材を具えるとともに、同背板部材の下縁に水平に連結されて上面に上記照明器具を支持するための不燃紙張設型石膏ボード製の第１底板部材と、同第１底板部材の前縁に下縁を連結されて起立した不燃紙張設型石膏ボード製の内側アゴ板と、同内側アゴ板の上縁に不燃紙張設型石膏ボード製の水平連結部材を介し上縁を連結されて垂下した不燃紙張設型石膏ボード製の外側アゴ板と、同外側アゴ板と上記内側アゴ板との間に介在する金属製のアゴ板補強材と、同金属製アゴ板補強材に接続されて上記第１底板部材の下面に沿い延在し上記壁材に至る金属製水平補強板と、同金属製水平補強板の後縁に一体に接続されて上記背板部材の背面に沿い起立し同背板部材と上記壁材との間に挟持される金属製鉛直補強板と、上記金属製水平補強板の下面を覆うようにして上記外側アゴ板の下縁から水平に延在し上記壁材に至る不燃紙張設型石膏ボード製の第２底板部材とを具えて構成されたことを特徴としている。
【考案の効果】
【０００５】  上述の本考案による建物内の間接照明用構造体では、その背板部材が、建物の内部で通路や部屋の壁面を形成する壁部材の表面に、金属製鉛直補強板を介して、ねじ止めなどの手段により容易に、且つ、強固に取り付けることが可能になる。【０００６】  そして、上記第１底板部材の上面に蛍光灯などの照明器具を取り付けたり、その照明器具の交換を行ったりする作業は、上記の内側アゴ板と外側アゴ板とを連結する水平連結部材と、建物内の天井面との間の間接照明用光路となる隙間を通じて、容易に行うことが可能となる。【０００７】  また、建物の工事の際や、建物の完成後に、上記の内側アゴ板および外側アゴ板の上側に手を掛けたり器物が衝突したりすることがあっても、前記アゴ板補強材に接続されるようにして第１底板部材および第２底板部材の相互間に重合し挟持される金属製水平補強板の存在により十分に保護されるので、損傷を生じることは無い。【０００８】  このようにして建物内の廊下や部屋の内部の壁面に装着される本考案の間接照明用構造体によれば、その第１底板部材上に支持される照明器具からの光が内側アゴ板および外側アゴ板の上縁と天井面との隙間を通じて廊下または部屋の天井面に照射されるようになり、その反射光が建物の内部空間における間接照明のために有効に用いられるようになる。【０００９】  また本考案の建物内の間接照明用構造体は、建物の室内の下がり天井の側壁面に設けることも容易であり、その場合は、前記のアゴ板補強材に接続されて上記下がり天井の下側水平面へ延在する補強板により、容易に取付け強度を保つことができる。
【実施例】
【００１０】    図１に示すごとく、建物内の天井１２に近い位置で壁面１ａを形成する壁材１の上部に装着されて間接照明用の蛍光灯のごとき照明器具２を内蔵できるように、同壁材１の壁面１ａに沿って取り付けられるための不燃紙張設型石膏ボード製の背板部材３が設けられるとともに、同背板部材３の下縁に接着剤を介し水平に連結されて上面に照明器具２を装着するための不燃紙張設型石膏ボード製の第１底板部材４が設けられている。【００１１】そして、第１底板部材４の前縁には、下縁を不燃紙で連結されて起立した不燃紙張設型石膏ボード製の内側アゴ板５が、接着剤で結合されるようにして設けられている。【００１２】    また、内側アゴ板５の上縁に、不燃紙張設型石膏ボード製の水平連結部材６を介し上縁を連結されて垂下した不燃紙張設型石膏ボード製の外側アゴ板７が設けられている。同外側アゴ板７と前述の内側アゴ板５との間には、金属板としてのアゴ板補強材８が一体形状で接着されるようにして介在している。【００１３】    さらに、外側アゴ板７の下縁に接着剤および外周の不燃紙で一端を結合された不燃紙張設型石膏ボード製の第２底板部材１１が設けられるので、全体として十分な耐火性と強度とが得られるようになる。
なお、本実施例では、本考案を天井から床面まで到達する通常の壁面に適用した場合について述べているが、本考案による建物内の間接照明用構造体は室内に特設された「下がり天井」の壁面にも適用することができる。
【図面の簡単な説明】
【００１４】
【図１】  本考案の一実施例としての建物内の間接照明用構造体の斜視図である。
【符号の説明】
【００１５】１      壁材
１ａ    壁材の表面
２      照明器具
３      背板部材
４      第１底板部材
５      内側アゴ板
６      水平連結部材
７      外側アゴ板
８      金属製アゴ板補強材
９      金属製水平補強板
１０    金属製鉛直補強板
１１    第２底板部材
１２    天井
【図１】
0003177378.tif 000003